(57)【要約】【課題】ホロコーン型のエアレススプレイ用先端装置に、逆吹きを行って固形物等を除去できる機構を備えようとすると、スワール溝が形成された部品を回転可能な筒体に組み込まなければならず、部品点数だけでなく、組み付け工程も増えてしまうことになる。【解決手段】エアレススプレイ用先端装置１では、スワール溝４７はノズルチップ３１を固定するための固定部材３７に形成されているので、部品点数や組み付け工程が増えることなく、上記した塗料等のパターンを中空円錐状にするためのスワール溝を具備することができ、しかも塗料を孔３３の先端側から送り込む逆吹きを行って固形物等を除去するための機構を具備することが可能となる。【選択図】        図１
2005046779.tif 000002
【特許請求の範囲】
【請求項１】
筒状部を有する装置本体と、前記筒状部に収容された筒体と、前記筒体に収容されたノズルチップと前記ノズルチップを固定するための固定部材と、前記装置本体の外部から操作して筒体を回転させノズルチップを前記筒状部の前側開口に対向する状態と後側開口に対向する状態とに動作させる操作手段とを有するエアレススプレイガンに備えられるエアレススプレイ用先端装置において、前記ノズルチップの孔から噴霧される塗料が中空錐状となるように塗料の流れをつくるスワール溝を前記固定部材に形成したことを特徴とするエアレススプレイ用先端装置。
【請求項２】
請求項１に記載したエアレススプレイ用先端装置において、固定部材は筒体に進退自在で且つ所望の位置に固定できて、ノズルチップを筒体に形成され貫通孔へ突出する突出部に押し付けるものであることを特徴とするエアレススプレイ用先端装置。
【請求項３】
請求項１または２に記載したエアレススプレイ用先端装置において、ノズルチップの孔は後端へいくに従って径寸法が徐々に大きくなる形状に形成され、固定部材は先端にいくに従って径寸法が徐々に小さくなる形状に形成されて、前記固定部材の先端部が前記ノズルチップの孔の内周面に当接して、ノズルチップを筒体の内側へ突出する突出部に押し付けるものであることを特徴とするエアレススプレイ用先端装置。
【発明の詳細な説明】
【技術分野】
【０００１】
本発明は、エアレススプレイ用先端装置に係り、特に噴射される塗料等の霧化パターンがホロコーン（中空円錐）状となるエアレススプレイ用先端装置に関する。
【背景技術】
【０００２】
特許文献１に記載されたエアレススプレイ用先端装置は、猫目型の孔３４を有しており、この孔３４から噴霧される塗料等のパターンは孔３４の長手方向へ広がる扇型であり、このため作業者がスプレイガンを走査させる方向が規制されることになる。従って、塗装箇所に応じてパターンの広がる方向を変える場合には、先端具１８の取り付け位置をいちいち変更する必要がある。
扇型パターンでは、パターン境界部（パターンの広がり方向の端部）に霧化密度の高い部分ができ、スプレイガンを走査させて塗装を行った場合、パターン境界部に対応する塗装部分に他の部分より多くの塗料が付着して、その部分にスジ状のむらが生じてしまうことがある。
また、このエアレススプレイ用先端装置の筒体１４は回転可能であり、固定物等が孔３４に詰まった場合に、筒体１４を反転させて塗料を孔３４の先端側から送り込む逆吹きを行って固形物等を除去できる機構を有している。
【０００３】
上記のエアレススプレイ用先端装置とは異なり、噴霧される塗料等のパターンが中空円錐状の、所謂ホロコーン型のエアレススプレイ用先端装置がある。このホロコーン型のエアレススプレイ用先端装置は、噴霧される塗料等のパターンが中空円錐状であるので、スプレイガンを走査させる方向が規制されることがない。またパターンが中空円錐状に広がるためスプレイガンを走査させて塗装を行っても、上記した塗装むらが生じることはない。
ホロコーン型のエアレススプレイ用先端装置には、パターンを中空円錐状にするためのスワール溝が備えられている。
【０００４】
【特許文献１】特開平７−２８９９５２号公報
【発明の開示】
【発明が解決しようとする課題】
【０００５】
ホロコーン型のエアレススプレイ用先端装置に、逆吹きを行って固形物等を除去できる機構を備えようとすると、スワール溝が形成された部品を回転可能な筒体に組み込まなければならず、部品点数が増えるばかりか組み付け工程が煩雑になってしまうことになる。
【課題を解決するための手段】
【０００６】
本発明は上記課題を解決するためになされたものであり、請求項１の発明は、筒状部を有する装置本体と、前記筒状部に収容された筒体と、前記筒体に収容されたノズルチップと前記ノズルチップを固定するための固定部材と、前記装置本体の外部から操作して筒体を回転させノズルチップを前記筒状部の前側開口に対向する状態と後側開口に対向する状態とに動作させる操作手段とを有するエアレススプレイガンに備えられるエアレススプレイ用先端装置において、前記ノズルチップの孔から噴霧される塗料が中空円錐状となるように塗料の流れをつくるスワール溝を前記固定部材に形成したことを特徴とするエアレススプレイ用先端装置である。
【０００７】
請求項２の発明は、請求項１に記載したエアレススプレイ用先端装置において、固定部材は筒体に進退自在で且つ所望の位置に固定できて、ノズルチップを筒体に形成され貫通孔へ突出する突出部に押し付けるものであることを特徴とするエアレススプレイ用先端装置である。
【０００８】
請求項３の発明は、請求項１または２に記載したエアレススプレイ用先端装置において、ノズルチップの孔は後端へいくに従って径寸法が徐々に大きくなる形状に形成され、固定部材は先端にいくに従って径寸法が徐々に小さくなる形状に形成されて、前記固定部材の先端部が前記ノズルチップの孔の内周面に当接して、ノズルチップを筒体の内側へ突出する突出部に押し付けるものであることを特徴とするエアレススプレイ用先端装置である。
【発明の効果】
【０００９】
本発明のエアレススプレイ用先端装置によれば、スワール溝がノズルチップを固定するための固定部材に形成されているので、部品点数を増やすことなく、しかも簡単な組み付け工程によってスワール溝を備えたエアレススプレイ用先端装置を製作することが可能である。
【発明を実施するための最良の形態】
【００１０】
部品点数や組み付け工程を増やすことなく、逆吹きを行って固形物等を除去できる機構を備え、且つ噴霧される塗料等のパターンを中空円錐状にするためのスワール溝を具備するエアレススプレイ用先端装置を実現した。
【実施例】
【００１１】
本発明の実施の形態に係るエアレススプレイ用先端装置１を図面にしたがって説明する。
符号３は装置本体を示し、この装置本体３は水平筒状部５とこの水平筒状部５の先端部上面に一体的に形成された垂直筒状部７とによって構成されている。水平筒状部５の前側開口９側にはケース支持部１１が設けられており、このケース支持部１１の内面は球面部１２を有し、また開口１３が形成されている。
符号１５はケース押さえ部材を示し、このケース押さえ部材１５の内面は球面部１６を有し、また貫通孔１７が形成されている。
【００１２】
符号１９は押さえネジを示し、この押さえネジ１９の前面には押さえ部材１５がはまる短寸法の円柱形の凹部２１が形成されている。押さえネジ１９は水平筒状部５の内周面に形成された雌ネジに螺合する。押さえネジ１９には貫通孔２３が形成されている。
【００１３】
符号２５は筒体としての回転ケースを示し、この回転ケース２５は外周面に球面部２７を有している。また回転ケース２５には貫通孔２９が形成され、この貫通孔２９には段差状の突出部３２が形成されている。貫通孔２９にはノズルチップ３１が収容されており、このノズルチップ３１の孔３３は同じ径寸法がある程度の長さ連続する細径部３３ａと、この細径部３３ａに連続する円錐状部３３ｂとによって構成されている。円錐状部３３ｂは後端へいくに従って径寸法が徐々に大きくなる形状に形成されている。またノズルチップ３１の後端部にはフランジ３５が形成されている。
【００１４】
図５から図７に示すように固定部材３７は基部３８と押さえ部４０とが一体に形成されて構成されている。基部３８の両側面が平面で上下面に雄ネジ３９が形成されている。押さえ部４０は円柱部４３と切円錐部４５とが一体に形成された形状で、切円錐部４５は先端にいくに従って径寸法が徐々に小さくなっている。切円錐部４５には４つのスワール溝４７が形成されており、４つのスワール溝４７は等間隔に配置され、切円錐部４５の先端面中心で交わっている。また、基部３８の後面にはドライバーを挿入するための溝４８が形成されている。固定部材３７の雄ネジ３９は回転ケース２５の貫通孔２９の周面に形成された雌ネジ４９に螺合し進行後退自在で、且つ所望の位置で固定することができる。
【００１５】
固定部材３７の切円錐部４５が孔３３の円錐状部３３ｂの内周面に当接しており、これによりノズルチップ３１が突出部３２に押し付けられて固定される。固定部材３７は溝４８にドライバーを挿入して回せば、螺合している雄ネジ３９と雌ネジ４９とによって進行後退でき、且つ所望の位置に固定することができる。
【００１６】
回転ケース２５はケース支持部１１と、押さえネジ１９によって押さえられたケース押さえ部材１５に挟持されている。回転ケース２５の球面部２７は、ケース支持部１１の球面部１２とケース押さえ部材１５の球面部１６に当接しており、回転ケース２５は回転自在に支持されている。また、回転ケース２５の頂上部には角穴５３が形成されている。
垂直筒状部７には回転軸５５が回転自在に収容され、この回転軸５５は円柱状の中間部５７、角柱状の下端部５９及び角柱状の部分６２と雄ネジ６３とが一体に形成された上端部６１とから構成されている。中間部５７には抜け止めリング５８が固定され、回転軸５５が垂直筒状部７から抜けるのを規制している。
【００１７】
回転軸５５の下端部５９は回転ケース２５の角穴５３に挿入されている。また回転軸５５の上端部６１は垂直筒状部７の上端から突出しており、角柱状の部分６２にはレバー６５が嵌められ、雄ネジ６３にはナット６７が取り付けられている。
操作手段は角穴５３、回転軸５５、レバー６５及びナット６７によって構成されている。
【００１８】
次に、このエアレススプレイ用先端装置１の使用方法について説明する。
エアレススプレイ用先端装置１は塗装用スプレイガンの先端部を構成し、図示しないスプレイガン本体と水平筒状部５の後側開口１０とが連結される。塗装用スプレイガンによって塗装作業を行う場合は図１、図２に示すように、ノズルチップ３１が前側開口９に対向し、固定部材３７が後側開口１０に対向する状態に回転ケース２５を止める。この状態でスプレイガンを作動させると、塗料がスプレイガン本体を通り、後側開口１０から水平筒状部５へ流入する。
【００１９】
そして、塗料は貫通孔２３、貫通孔１７を通り回転ケース２５の貫通孔２９へ流入する。なお、固定部材３７の基部３８の両側面は平坦な面に形成されているので、貫通孔２９の内周面との間に隙間ができる。この隙間を通ってケース押さえ部材１５の貫通孔１７から貫通孔２９へ塗料が流入する。貫通孔２９へ流入した塗料はスワール溝４７によって回転方向の流れが与えられ、孔３３の円錐部３３ｂを通り、細径部３３ａから中空円錐状に噴霧される。
このようにエアレススプレイ用先端装置１では、スワール溝４７を備えているので、塗料を中空円錐状に噴霧することができる。従って、スプレイガンを走査させる方向が規制される等の不都合は生じない。
【００２０】
また、孔３３の細径部３３ａに固形物等が詰まった場合には、レバー６５を操作して、図３、図４に示すように回転ケース２５を１８０度回転させてノズルチップ３１が後側開口１０に対向し、固定部材３７が前側開口９に対向する状態にする。この状態でスプレイガンを作動させて、塗料を孔３３の先端側から送り込む逆吹きを行って固形物等を除去する。
エアレススプレイ用先端装置１では、レバー６５を装置本体３の外部から操作して回転ケース２５を回転させノズルチップ３１が水平筒状部５の前側開口９に対向する状態と後側開口１０に対向する状態とに動作させることができる。
【００２１】
このエアレススプレイ用先端装置１では、スワール溝４７はノズルチップ３１を固定するための固定部材３７に形成されているので、部品点数を増やすことなく、簡単な組み付け工程によってスワール溝を備えたエアレススプレイ用先端装置１を製作することが可能である。
上記した塗料等のパターンを中空円錐状にするためのスワール溝４７を具備することができ、しかも塗料を孔３３の先端側から送り込む逆吹きを行って固形物等を除去するための機構を具備することが可能となる。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態に係るエアレススプレイ用先端装置は塗料を噴霧するものを示したが、本発明はこれに限定されず、塗料以外の消毒剤等の薬品を噴霧するためのエアレススプレイ用先端装置に適用してもよい。
【図面の簡単な説明】
【００２３】
【図１】本発明の実施例に係るエアレススプレイ用先端装置の塗装を行う状態における断面図である。
【図２】図１における状態の装置本体の前側開口から見えるノズルチップを示す図である。
【図３】本発明の実施例に係るエアレススプレイ用先端装置の逆吹きを行う状態における断面図である。
【図４】図３における状態の装置本体の前側開口から見える固定部材を示す図である。
【図５】本発明の実施例に係るエアレススプレイ用先端装置に装備される固定部材の斜視図である。
【図６】本発明の実施例に係るエアレススプレイ用先端装置に装備される固定部材の正面図である。
【図７】本発明の実施例に係るエアレススプレイ用先端装置に装備される固定部材の背面図である。
【符号の説明】
【００２４】
１  エアレススプレイ用先端装置      ３  装置本体      ５  水平筒状部
７  垂直筒状部      ９  前側開口      １０  後側開口
１１  ケース支持部      １２  球面部      １３  開口
１５  ケース押さえ部材      １６  球面部      １７  貫通孔
１９  押さえネジ      ２１  凹部      ２３  貫通孔
２５  回転ケース      ２７  球面部      ２９  貫通孔
３１  ノズルチップ      ３２突出部      ３３  孔      ３３ａ  細径部
３３ｂ  円錐部      ３５  フランジ      ３７  固定部材
３８  基部      ３９  雄ネジ      ４０  押さえ部
４３  円柱部      ４５  切円錐部    ４７  スワール溝
４８  溝      ４９  雌ネジ      ５１  ケース      ５３  角穴
５５  回転軸      ５７  中間部      ５８  抜け止めリング
５９  下端部      ６１  上端部      ６２  角柱状の部分
６３  雄ネジ      ６５  レバー      ６７  ナット
【図１】
2005046779.tif 000003
【図２】
2005046779.tif 000004
【図３】
2005046779.tif 000005
【図４】
2005046779.tif 000006
【図５】
2005046779.tif 000007
【図６】
2005046779.tif 000008
【図７】
2005046779.tif 000009